(57)【要約】【課題】            路線バスの車外の沿線住民がテレビ映像などを効果的に視られるようにした路線バスを提供する。また、車幅が広い路線バスの側面部に映像ディスプレイを設置した場合でも、歩行者や自転車と接触事故をおこす危険性を増大させないように工夫した映像ディスプレイを設置した路線バスを提供する。【解決手段】        本考案は、側面部横幅が長い路線バス本体１の右側の側面部を有効利用し、この右側の側部外壁面部３に大きな画面の映像ディスプレイ５を見やすい位置に設置した路線バスを提供する。また、右側の側部外壁面部３に複数台の映像ディスプレイ５を横方向に並べて設置した路線バスを提供する。また、本考案は、路線バス本体１の右側の側部外壁面部３に映像ディスプレイ５を収容可能な収容凹部４を形成し、この収容凹部４内にテレビ映像ディスプレイ５を設置した路線バスを提供する。【選択図】          図５
0003220099.tif 000002
【実用新案登録請求の範囲】
【請求項１】
テレビ放送電波をアンテナを介してテレビチューナーで受信して画面部にテレビ映像を表示できるテレビ映像ディスプレイを路線バス本体の車体の前進走行方向に向かって右側の側部の前後のタイヤの間に位置する側部外壁面部に前記画面部を外側に向けて取付けて設置したことを特徴とする映像ディスプレイを設置した路線バス。
【請求項２】
テレビ放送電波をアンテナを介してテレビチューナーで受信して画面部にテレビ映像を表示できる複数台のテレビ映像ディスプレイを路線バス本体の車体の前進走行方向に向かって右側の側部の前後のタイヤの間に位置する側部外壁面部に前記画面部を外側に向けて横方向に並べて取付けて設置したことを特徴とする映像ディスプレイを設置した路線バス。
【請求項３】
テレビ放送電波をアンテナを介してテレビチューナーで受信して画面部にテレビ映像を表示できるテレビ映像ディスプレイを路線バス本体の車体の前進走行方向に向かって右側の側部の前後のタイヤの間に位置する側部外壁面部に前記画面部を外側に向けて取付けて設置した路線バスであって、前記側部外壁面部に前記テレビ映像ディスプレイを収容可能な外側を開口した収容凹部を形成し、この収容凹部内に前記テレビ映像ディスプレイを該テレビ映像ディスプレイの前記画面部が外側に向けられ且つ前記画面部が該収容凹部内から外側に露出しないように取付けて設置したことを特徴とする映像ディスプレイを設置した路線バス。
【請求項４】
テレビ放送電波をアンテナを介してテレビチューナーで受信して画面部にテレビ映像を表示できる複数台のテレビ映像ディスプレイを路線バス本体の車体の前進走行方向に向かって右側の側部の前後のタイヤの間に位置する側部外壁面部に前記画面部を外側に向けて横方向に並べて取付けて設置した路線バスであって、前記側部外壁面部に複数台の前記テレビ映像ディスプレイを横方向に並べて収容可能な外側を開口した収容凹部を形成し、この収容凹部内に複数台の前記テレビ映像ディスプレイを該テレビ映像ディスプレイの前記画面部が外側に向けられ且つ前記画面部が該収容凹部内から外側に露出しないように横方向に並べて取付けて設置したことを特徴とする映像ディスプレイを設置した路線バス。
【請求項５】
ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて取付けて設置したことを特徴とする映像ディスプレイを設置した路線バス。
【請求項６】
ネットワークに無線で接続され、このネットワークから無線データ通信手段で配信される映像などの画像データを受信し、画面部に前記画像データを再生して表示できる複数台の映像ディスプレイを路線バス本体の車体の前進走行方向に向かって右側の側部の前後のタイヤの間に位置する側部外壁面部に前記画面部を外側に向けて横方向に並べて取付けて設置したことを特徴とする映像ディスプレイを設置した路線バス。
【請求項７】
ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて取付けて設置した路線バスであって、前記側部外壁面部に前記映像ディスプレイを収容可能な外側を開口した収容凹部を形成し、この収容凹部内に前記映像ディスプレイを該映像ディスプレイの前記画面部が外側に向けられ且つ前記画面部が該収容凹部内から外側に露出しないように取付けて設置したことを特徴とする映像ディスプレイを設置した路線バス。
【請求項８】
ネットワークに無線で接続され、このネットワークから無線データ通信手段で配信される映像などの画像データを受信し、画面部に前記画像データを再生して表示できる複数台の映像ディスプレイを路線バス本体の車体の前進走行方向に向かって右側の側部の前後のタイヤの間に位置する側部外壁面部に前記画面部を外側に向けて横方向に並べて取付けて設置した路線バスであって、前記側部外壁面部に複数台の前記映像ディスプレイを横方向に並べて収容可能な外側を開口した収容凹部を形成し、この収容凹部内に複数台の前記映像ディスプレイを該映像ディスプレイの前記画面部が外側に向けられ且つ前記画面部が該収容凹部内から外側に露出しないように横方向に並べて取付けて設置したことを特徴とする映像ディスプレイを設置した路線バス。
【請求項９】
テレビ放送電波をアンテナを介してテレビチューナーで受信して画面部にテレビ映像を表示できるテレビ映像ディスプレイと、ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて横方向に並べて取付けて設置したことを特徴とする映像ディスプレイを設置した路線バス。
【請求項１０】
テレビ放送電波をアンテナを介してテレビチューナーで受信して画面部にテレビ映像を表示できるテレビ映像ディスプレイと、ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて横方向に並べて取付けて設置した路線バスであって、前記側部外壁面部に前記テレビ映像ディスプレイと前記映像ディスプレイを横方向に並べて収容可能な外側を開口した収容凹部を形成し、この収容凹部内に前記テレビ映像ディスプレイと前記映像ディスプレイを該テレビ映像ディスプレイと該映像ディスプレイの前記画面部が外側に向けられ且つ前記画面部が該収容凹部内から外側に露出しないように横方向に並べて取付けて設置したことを特徴とする映像ディスプレイを設置した路線バス。
【考案の詳細な説明】
【技術分野】
【０００１】
本考案は、車体の右側の側部外壁面部にテレビ映像などを表示できる映像ディスプレイを設置した路線バスに関する。
【背景技術】
【０００２】
車体の側部に宣伝広告プレートを設置した路線バスや、車体全体を宣伝広告でラッピングした路線バスが知られている。しかし、これらは宣伝広告内容が固定されているため、宣伝効果もあまり期待できない。
【０００３】
また、路線バスの車内の運転席の後部位置にネットワークに接続された液晶モニタを設置し、広告、ニュース、天気予報など主に地域に密着した情報を配信できる情報配信システム（ネットワーク型のデジタルサイネージ広告システム）が急速に普及している。しかし、この情報配信システム（ネットワーク型のデジタルサイネージ広告システム）は路線バスの車内の乗客サービスにはなるが、路線バスの車外の沿線住民に向けた住民サービスにはならない。
【０００４】
また、ディスプレイモニタを搭載した移動車両（路線バスやタクシー）が公開されている（特許文献１）。しかし、この公開文献は、移動車両（路線バス）のどの位置にディスプレイモニタを搭載するのか、その搭載位置を明確に特定してない。したがって、この公開文献で開示された発明は、路線バスの車外の沿線住民がテレビ映像やその地域に密着した地域情報をディスプレイモニタで効果的に視られるようにしたことを解決課題としたものではなく、路線バスの車外の沿線住民に向けた住民サービスを目的としたものでもない。
【先行技術文献】
【特許文献】
【０００５】
【特許文献１】特開２００３−７６３１０号公報
【考案の概要】
【考案が解決しようとする課題】
【０００６】
本考案は、路線バスの車外の沿線住民に向けた住民サービスとして、路線バスの車外の沿線住民がテレビ番組やテレビニュースやテレビＣＭなどのテレビ映像を効果的に視られるようにした路線バスを提供する。また、本考案は、路線バスの車外の沿線住民に向けた住民サービスとして、路線バスの車外の沿線住民が主にその地域に密着した地域情報を映像ディスプレイで効果的に視られるようにした路線バスを提供する。
【０００７】
ところで、路線バスの右側の側面部は、反対側の乗降口がある左側の側面部とは異なり前後のタイヤ間の側面部横幅（大型の路線バスの前後のタイヤ間の側面部横幅は約３６０ｃｍ）が長く成っている。本考案は、側面部横幅が長い右側の側面部を有効利用した映像ディスプレイを設置した路線バスを提供する。
【０００８】
また、路線バスの車幅（大型の路線バスの車幅は約２．５ｍ）は普通自動車の車幅に比べて広く形成されている。このため、車幅の広い路線バスが狭い道路を走行する際に、歩行者や自転車と接触事故をおこす危険性があった。本考案は、車幅が広い路線バスの右側の側部外壁面部に厚さを有するテレビモニタなどの映像ディスプレイを設置した場合でも、歩行者や自転車と接触事故をおこす危険性を増大させないように工夫した映像ディスプレイを設置した路線バスを提供する。
【課題を解決するための手段】
【０００９】
前記した目的を達成するため、本考案（請求項１の考案）は、テレビ放送電波をアンテナを介してテレビチューナーで受信して画面部にテレビ映像を表示できるテレビ映像ディスプレイを路線バス本体の車体の前進走行方向に向かって右側の側部の前後のタイヤの間に位置する側部外壁面部に前記画面部を外側に向けて取付けて設置したことを特徴とする映像ディスプレイを設置した路線バスを提供する。
【００１０】
また、前記した目的を達成するため、本考案（請求項２の考案）は、テレビ放送電波をアンテナを介してテレビチューナーで受信して画面部にテレビ映像を表示できる複数台のテレビ映像ディスプレイを路線バス本体の車体の前進走行方向に向かって右側の側部の前後のタイヤの間に位置する側部外壁面部に前記画面部を外側に向けて横方向に並べて取付けて設置したことを特徴とする映像ディスプレイを設置した路線バスを提供する。
【００１１】
また、前記した目的を達成するため、本考案（請求項３の考案）は、テレビ放送電波をアンテナを介してテレビチューナーで受信して画面部にテレビ映像を表示できるテレビ映像ディスプレイを路線バス本体の車体の前進走行方向に向かって右側の側部の前後のタイヤの間に位置する側部外壁面部に前記画面部を外側に向けて取付けて設置した路線バスであって、前記側部外壁面部に前記テレビ映像ディスプレイを収容可能な外側を開口した収容凹部を形成し、この収容凹部内に前記テレビ映像ディスプレイを該テレビ映像ディスプレイの前記画面部が外側に向けられ且つ前記画面部が該収容凹部内から外側に露出しないように取付けて設置したことを特徴とする映像ディスプレイを設置した路線バスを提供する。
【００１２】
また、前記した目的を達成するため、本考案（請求項４の考案）は、テレビ放送電波をアンテナを介してテレビチューナーで受信して画面部にテレビ映像を表示できる複数台のテレビ映像ディスプレイを路線バス本体の車体の前進走行方向に向かって右側の側部の前後のタイヤの間に位置する側部外壁面部に前記画面部を外側に向けて横方向に並べて取付けて設置した路線バスであって、前記側部外壁面部に複数台の前記テレビ映像ディスプレイを横方向に並べて収容可能な外側を開口した収容凹部を形成し、この収容凹部内に複数台の前記テレビ映像ディスプレイを該テレビ映像ディスプレイの前記画面部が外側に向けられ且つ前記画面部が該収容凹部内から外側に露出しないように横方向に並べて取付けて設置したことを特徴とする映像ディスプレイを設置した路線バスを提供する。
【００１３】
また、前記した目的を達成するため、本考案（請求項５の考案）は、ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて取付けて設置したことを特徴とする映像ディスプレイを設置した路線バスを提供する。
【００１４】
また、前記した目的を達成するため、本考案（請求項６の考案）は、ネットワークに無線で接続され、このネットワークから無線データ通信手段で配信される映像などの画像データを受信し、画面部に前記画像データを再生して表示できる複数台の映像ディスプレイを路線バス本体の車体の前進走行方向に向かって右側の側部の前後のタイヤの間に位置する側部外壁面部に前記画面部を外側に向けて横方向に並べて取付けて設置したことを特徴とする映像ディスプレイを設置した路線バスを提供する。
【００１５】
また、前記した目的を達成するため、本考案（請求項７の考案）は、ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて取付けて設置した路線バスであって、前記側部外壁面部に前記映像ディスプレイを収容可能な外側を開口した収容凹部を形成し、この収容凹部内に前記映像ディスプレイを該映像ディスプレイの前記画面部が外側に向けられ且つ前記画面部が該収容凹部内から外側に露出しないように取付けて設置したことを特徴とする映像ディスプレイを設置した路線バスを提供する。
【００１６】
また、前記した目的を達成するため、本考案（請求項８の考案）は、ネットワークに無線で接続され、このネットワークから無線データ通信手段で配信される映像などの画像データを受信し、画面部に前記画像データを再生して表示できる複数台の映像ディスプレイを路線バス本体の車体の前進走行方向に向かって右側の側部の前後のタイヤの間に位置する側部外壁面部に前記画面部を外側に向けて横方向に並べて取付けて設置した路線バスであって、前記側部外壁面部に複数台の前記映像ディスプレイを横方向に並べて収容可能な外側を開口した収容凹部を形成し、この収容凹部内に複数台の前記映像ディスプレイを該映像ディスプレイの前記画面部が外側に向けられ且つ前記画面部が該収容凹部内から外側に露出しないように横方向に並べて取付けて設置したことを特徴とする映像ディスプレイを設置した路線バスを提供する。
【００１７】
また、前記した目的を達成するため、本考案（請求項９の考案）は、テレビ放送電波をアンテナを介してテレビチューナーで受信して画面部にテレビ映像を表示できるテレビ映像ディスプレイと、ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて横方向に並べて取付けて設置したことを特徴とする映像ディスプレイを設置した路線バスを提供する。
【００１８】
また、前記した目的を達成するため、本考案（請求項１０の考案）は、テレビ放送電波をアンテナを介してテレビチューナーで受信して画面部にテレビ映像を表示できるテレビ映像ディスプレイと、ネットワークに無線で接続され、このネットワークから無線データ通信手段で配信される映像などの画像データを受信し、画面部に前記画像データを再生して表示できる映像ディスプレイを路線バス本体の車体の前進走行方向に向かって右側の側部の前後のタイヤの間に位置する側部外壁面部に前記画面部を外側に向けて横方向に並べて取付けて設置した路線バスであって、前記側部外壁面部に前記テレビ映像ディスプレイと前記映像ディスプレイを横方向に並べて収容可能な外側を開口した収容凹部を形成し、この収容凹部内に前記テレビ映像ディスプレイと前記映像ディスプレイを該テレビ映像ディスプレイと該映像ディスプレイの前記画面部が外側に向けられ且つ前記画面部が該収容凹部内から外側に露出しないように横方向に並べて取付けて設置したことを特徴とする映像ディスプレイを設置した路線バスを提供する。
【考案の効果】
【００１９】
本考案は、側面部横幅が長い路線バス本体の右側の側面部を有効利用し、この右側の側部外壁面部に大きな画面の映像ディスプレイを見やすい位置に配置できるようにし、路線バスの車外の沿線住民がテレビ映像や主にその地域に密着した地域情報を映像ディスプレイで効果的に視られるようにした。また、右側の側面部に複数台の映像ディスプレイを横方向に並べて設置した路線バスを提供する。これによって、複数台の映像ディスプレイで異なる映像を路線バスの車外の沿線住民に向け提供でき、路線バスの車外の沿線住民に向けた効果的な住民サービスとなる。
【００２０】
また、本考案は、路線バス本体の右側の側部外壁面部に映像ディスプレイを収容可能な外側を開口した収容凹部を形成し、この収容凹部内にテレビ映像ディスプレイを該映像ディスプレイの画面部が外側に向けられ且つ前記画面部が該収容凹部内から外側に露出しないように設置したことを特徴としている。これによって、車幅が広い路線バスの右側の側部外壁面部に映像ディスプレイを設置した場合でも、歩行者や自転車と接触事故をおこす危険性を無くすことができる。
【図面の簡単な説明】
【００２１】
【図１】本考案の第１実施形態を示した路線バスの右側の側面図である。
【図２】本考案の第２実施形態を示した路線バスの右側の側面図である。
【図３】図２の要部縦断面図である。
【図４】本考案の第３実施形態を示した路線バスの右側の側面図である。
【図５】本考案の第４実施形態を示した路線バスの右側の側面図である。
【図６】本考案の他の実施形態を示した路線バスの右側の側面図である。
【図７】本考案の他の実施形態を示した路線バスの右側の側面図である。
【考案を実施するための形態】
【００２２】
本考案の実施形態を示した図面に基づき説明する。図１は本考案の第１実施形態、図２は本考案の第２実施形態、図４は本考案の第３実施形態、図５は本考案の第４実施形態を示している。図中、符号１は路線バス本体、符号５はテレビ映像ディスプレイを示している。
【００２３】
図１（第１実施形態）は、テレビ放送局からのテレビ放送電波をアンテナを介してテレビチューナーで受信して画面部６にテレビ映像を表示できる薄型のテレビ映像ディスプレイ５を路線バス本体１の車体の前進走行方向に向かって右側の側部の前後のタイヤ２，２の間に位置する側部外壁面部３に前記画面部６を外側に向けて取付けて設置した実施形態を示している。
【００２４】
大型の路線バス本体１の車体の前進走行方向に向かって右側の側部の前後のタイヤ２，２の間に位置する側部外壁面部３の広さは、横幅が約３６０ｃｍ、縦幅が約９０ｃｍであり、広い側面部を有している。よって、この側部外壁面部３に設置するテレビ映像ディスプレイ５は、その画面部の大きさが横長の大画面のものを設置可能である。
【００２５】
テレビ映像ディスプレイ５の厚さは薄型のものを採用するのが好ましく、好ましくは厚さが５ｃｍ以内の薄型ものを採用するのが好ましい。テレビ映像ディスプレイ５は、テレビチューナーを外付けとしたものでも、テレビチューナー内蔵型（いわゆるテレビ受像機）のものでも良い。
【００２６】
テレビ映像ディスプレイ５の側部外壁面部３への取付け設置手段は、特に限定されず、例えば従来公知のボルト締め手段などを用いて取付け可能である。しかし、路線バスは走行中に振動があるため、この振動に耐えてディスプレイ５が脱落しないように強固に取付けることが重要である。
【００２７】
テレビ映像ディスプレイ５は、チャンネル切り替え手段で放送チャンネルを切り替え可能であり、オンオフ切り替えスイッチでオンオフ切り替えが可能である。このチャンネル切り替えやオンオフの切り替えは路線バス本体１の右側の前部に位置する運転席で操作可能にしても良く、公知のリモコンを用いて操作しても良い。
【００２８】
図２（第２実施形態）は、テレビ放送局からのテレビ放送電波をアンテナを介してテレビチューナーで受信して画面部６にテレビ映像を表示できる薄型のテレビ映像ディスプレイ５を路線バス本体１の車体の前進走行方向に向かって右側の側部の前後のタイヤ２，２の間に位置する側部外壁面部３に前記画面部６を外側に向けて取付けて設置した路線バスであって、図３に示したように、前記側部外壁面部３に前記テレビ映像ディスプレイ５を収容可能な外側を開口した収容凹部４を形成し、この収容凹部４内に前記テレビ映像ディスプレイ５を該テレビ映像ディスプレイ５の前記画面部６が外側に向けられ且つ前記画面部６が該収容凹部４内から外側に露出しないように取付けて設置した実施形態を示している。
【００２９】
なお、図３に一点鎖線で示した符号７は、前記収容凹部４の開口部を覆う透明樹脂板からなる開閉可能な蓋体である。この透明な蓋体７を取り付けることによって、収容凹部４内に設置したテレビ映像ディスプレイ５（特にテレビ映像ディスプレイ５の画面部６）を外部から保護できる。
【００３０】
図４（第３実施形態）は、テレビ放送局からのテレビ放送電波をアンテナを介してテレビチューナーで受信して画面部６にテレビ映像を表示できる複数台（図面では２台）の薄型のテレビ映像ディスプレイ５，５を路線バス本体１の車体の前進走行方向に向かって右側の側部の前後のタイヤ２，２の間に位置する側部外壁面部３に前記画面部６を外側に向けて横方向に並べて取付けて設置した実施形態を示している。この実施形態によれば、路線バスの車外の沿線住民が複数台（図面では２台）のテレビ映像ディスプレイ５，５で異なるテレビ放送を視ることができる。
【００３１】
図５（第４実施形態）は、テレビ放送局からのテレビ放送電波をアンテナを介してテレビチューナーで受信して画面部６にテレビ映像を表示できる複数台（図面では２台）の薄型のテレビ映像ディスプレイ５，５を路線バス本体１の車体の前進走行方向に向かって右側の側部の前後のタイヤ２，２の間に位置する側部外壁面部３に前記画面部６を外側に向けて横方向に並べて取付けて設置した路線バスであって、図３に示したように、前記側部外壁面部３に複数台の前記テレビ映像ディスプレイ５，５を横方向に並べて収容可能な外側を開口した収容凹部４を形成し、この収容凹部４内に複数台の前記テレビ映像ディスプレイ５，５を該テレビ映像ディスプレイの前記画面部６が外側に向けられ且つ前記画面部６が該収容凹部４内から外側に露出しないように横方向に並べて取付けて設置した実施形態を示している。
【００３２】
図１〜図５の実施形態では、テレビ放送局からのテレビ放送電波をアンテナを介してテレビチューナーで受信して画面部６にテレビ映像を表示できる薄型のテレビ映像ディスプレイ５を設置した実施形態について説明したが、このテレビ映像ディスプレイ５に替えて、インターネットなどのネットワークに無線で接続され、このネットワークから無線データ通信手段で配信される映像（例えば、その地域に密着した地域情報の映像）などの画像データを受信し、画面部６に前記画像データを再生して表示できる薄型の映像ディスプレイ８を設置した路線バスも提供できる。
【００３３】
このネットワークから無線データ通信手段で配信される映像（例えば、その地域に密着した地域情報の映像）などの画像データを受信し、画面部６に前記画像データを再生して表示できる薄型の映像ディスプレイ８を設置した路線バスの実施形態については、図１〜図５を援用して説明でき、図１〜図５における符号５のテレビ映像ディスプレイを符号８の映像ディスプレイに置き換えて説明できるため、重複した説明は省略する。
【００３４】
図６は、テレビ放送局からのテレビ放送電波をアンテナを介してテレビチューナーで受信して画面部６にテレビ映像を表示できる薄型のテレビ映像ディスプレイ５と、ネットワークに無線で接続され、このネットワークから無線データ通信手段で配信される映像などの画像データを受信し、画面部６に前記画像データを再生して表示できる薄型の映像ディスプレイ８を路線バス本体１の車体の前進走行方向に向かって右側の側部の前後のタイヤ２，２の間に位置する側部外壁面部３に前記画面部６を外側に向けて横方向に並べて取付けて設置した実施形態を示している。この実施形態によれば、路線バスの車外の沿線住民がテレビ放送とネットワークから配信される映像（例えば、その地域に密着した地域情報の映像）を視ることができる。
【００３５】
図７は、テレビ放送局からのテレビ放送電波をアンテナを介してテレビチューナーで受信して画面部６にテレビ映像を表示できる薄型の映像ディスプレイ５と、ネットワークに無線で接続され、このネットワークから無線データ通信手段で配信される映像などの画像データを受信し、画面部６に前記画像データを再生して表示できる薄型の映像ディスプレイ８を路線バス本体１の車体の前進走行方向に向かって右側の側部の前後のタイヤ２，２の間に位置する側部外壁面部３に前記画面部６を外側に向けて横方向に並べて取付けて設置した路線バスであって、前記側部外壁面部３に前記テレビ映像ディスプレイ５と前記映像ディスプレイ８を横方向に並べて収容可能な外側を開口した収容凹部４（図３参照）を形成し、この収容凹部４内に前記テレビ映像ディスプレイ５と前記映像ディスプレイ８を該テレビ映像ディスプレイ５と該映像ディスプレイ８の前記画面部６が外側に向けられ且つ前記画面部６が該収容凹部４内から外側に露出しないように横方向に並べて取付けて設置した実施形態を示している。
【符号の説明】
【００３６】
１  路線バス本体
３  側部外壁面部
４  収容凹部
５  テレビ映像ディスプレイ
６  画面部
７  透明な蓋体
８  映像ディスプレイ
【図１】
0003220099.tif 000003
【図２】
0003220099.tif 000004
【図３】
0003220099.tif 000005
【図４】
0003220099.tif 000006
【図５】
0003220099.tif 000007
【図６】
0003220099.tif 000008
【図７】
0003220099.tif 000009